(57)【要約】      （修正有）【課題】適切な強さで紐状体を巻き取り操作し易い紐状体巻取装置を提供する。【解決手段】弾性変形自在で且つ筒端部開口から筒内空部Ｖに手を挿入自在に形成された筒状体１を設け、筒状体１は、筒軸心方向での一端部１Ａと他端部１Ｂとが筒軸心方向での離間位置にある単筒状態と、一端部１Ａが他端部１Ｂの外側全周にわたって被さるように筒軸心方向での中間部１ａで折り返すことで、筒径方向の内外に一端部１Ａと他端部１Ｂとが重なった復筒状態とに変形自在に構成してあり、単筒状態における筒状体１の外周部の内、他端部１Ｂ側の領域に、巻取対象の紐状体のイヤホンケーブル２を巻取自在な巻取部１Ｄを設け、単筒状態と復筒状態との状態変更操作を補助する操作補助機構Ｓが、筒状体１に設けてある。【選択図】図４
2015228610.tif 000002
【特許請求の範囲】
【請求項１】
弾性変形自在で且つ筒端部開口から筒内空部に手を挿入自在に形成された筒状体を設け、
前記筒状体は、筒軸心方向での一端部と他端部とが前記筒軸心方向での離間位置にある単筒状態と、前記一端部が前記他端部の外側全周にわたって被さるように前記筒軸心方向での中間部で折り返すことで、筒径方向の内外に前記一端部と前記他端部とが重なった復筒状態とに変形自在に構成してあり、
前記単筒状態における前記筒状体の外周部の内、前記他端部側の領域に、巻取対象の紐状体を巻取自在な巻取部を設け、
前記単筒状態と前記復筒状態との状態変更操作を補助する操作補助機構が、前記筒状体に設けてある紐状体巻取装置。
【請求項２】
前記操作補助機構は、前記筒状体の前記一端部側を、前記他端部側より大径に形成して構成してある請求項１に記載の紐状体巻取装置。
【請求項３】
前記操作補助機構は、前記筒状体における前記中間部と、前記中間部に前記筒軸心方向で隣接する隣接部との折り返し抵抗を異ならせて構成してある請求項１又は２に記載の紐状体巻取装置。
【請求項４】
前記操作補助機構は、前記単筒状態における前記筒状体の前記中間部に、周方向に沿って形成された突状部を備えてある請求項３に記載の紐状体巻取装置。
【請求項５】
前記筒状体は、布製又はニット製からなる伸縮素材で構成してあり、前記突状部は、前記伸縮素材どうしの縫合部で構成してある請求項４に記載の紐状体巻取装置。
【請求項６】
前記筒状体は、前記一端部と前記他端部との少なくとも何れか一方は、前記巻取部の厚みより厚肉に形成してある請求項１〜５の何れか一項に記載の紐状体巻取装置。
【発明の詳細な説明】
【技術分野】
【０００１】
本発明は、例えば、イヤホンに付随するケーブルや、ネックレスや、ブレスレット等、大きな張力に弱い紐状体を、外周部に巻き取ってその上から覆うことで保護状態を維持できる紐状体巻取装置に関する。
【背景技術】
【０００２】
従来、この種の紐状体巻取装置としては、巻取用棒状部の両端に、お椀状のフランジ部がそれぞれ設けられたゴム製のものがあった（例えば、特許文献１参照）。
両フランジ部は、その外周側が、棒状部の長手方向に沿って近接する状態と、離間する状態とに弾性的に姿勢変更できるように構成してある。近接状態においては、両フランジ部の外周側どうしが当接すると共に、棒状部の外周部との間に紐状体を収容できる空間ができるように寸法設定してある。
【０００３】
紐状体を巻き取って保護するには、両フランジ部を、上述の離間状態にしておいて、両フランジ部間に露出している棒状部の外周部に紐状体を巻き取った後、両フランジ部を前記近接状態に姿勢変更することで、棒状部、及び、その周りに巻き取った紐状体の上に、両フランジ部が被さり、保護状態を維持することができる。
【先行技術文献】
【特許文献】
【０００４】
【特許文献１】特開２００８−２８８９６１号公報（図９〜１１）
【発明の概要】
【発明が解決しようとする課題】
【０００５】
上述した従来の紐状体巻取装置によれば、棒状部に紐状体を巻き取る際、一方の手で、紐状体の一端を棒状部に沿わせて持つと共に、他方の手で紐状体の他端側を握り、棒状部の周りに巻き付けてゆく。
その際、棒状部への紐状体の巻き取り強さの調整は、他方の手の引っ張り加減に頼って実施されている。
【０００６】
しかしながら、他方の手の引っ張り加減のみの情報では、紐状体の巻き取り強さを適切な状態に保った巻き取り操作が困難になる虞がある。
特に、慌てて巻き取らなければならないような状況下においては、他方の手の引っ張り加減に狂いが生じ易く、強過ぎると、紐状体を痛めてしまったり、弱過ぎると紐状体が外れてしまう虞がある。
【０００７】
ここで、紐状体を慌てて巻き取らなければならない状況について一例を説明すると、例えば、バスや電車への乗車中に使用していたイヤホン（紐状体の一例）を、下車する停留所に到着する寸前に外して巻き取り収納するような状況が挙げられる。このような状況下においては、イヤホンの巻き取り操作を急ぐがあまり、強く巻きすぎる虞がある。
【０００８】
従って、本発明の目的は、上記問題点を解消し、適切な強さで紐状体を巻き取り操作し易い紐状体巻取装置を提供するところにある。
【課題を解決するための手段】
【０００９】
本発明の特徴は、弾性変形自在で且つ筒端部開口から筒内空部に手を挿入自在に形成された筒状体を設け、前記筒状体は、筒軸心方向での一端部と他端部とが前記筒軸心方向での離間位置にある単筒状態と、前記一端部が前記他端部の外側全周にわたって被さるように前記筒軸心方向での中間部で折り返すことで、筒径方向の内外に前記一端部と前記他端部とが重なった復筒状態とに変形自在に構成してあり、前記単筒状態における前記筒状体の外周部の内、前記他端部側の領域に、巻取対象の紐状体を巻取自在な巻取部を設け、前記単筒状態と前記復筒状態との状態変更操作を補助する操作補助機構が、前記筒状体に設けてあるところにある。
【００１０】
本発明によれば、筒状体の筒端部開口から筒内空部に一方の手を挿入した状態で、その筒状体の外周部に設けた巻取部に他方の手で紐状体を巻き取ることができる。
その際、一方の手を筒状体の筒内空部に挿入していることで、その外周部に巻き取られる紐状体からの締め付け力が筒状体を介して一方の手に伝わり、その状況での巻き取り強さを直感的に感じることができる。
従って、一方の手に伝わる紐状体の巻き取り強さの感覚をもとに、他方の手の引っ張り加減を調節することができ、より簡単に、且つ、正確に、紐状体の巻き取り強さをコントロールすることができる。
【００１１】
また、筒状体の巻取部に巻取対象の紐状体を巻き取ったら、筒状体が前記復筒状態となるように一端部を他端部の外側全周に被せることで、紐状体を筒状体の一端部側の部分で覆うことができ、外部に露出するのを防止した保護状態に移行することができる。
しかも、筒状体の前記単筒状態と復筒状態との状態変更操作は、操作補助機構によってスムーズに行うことができる。
【００１２】
以上の結果、紐状体を巻き取って保護状態にするまでの操作を短時間に実施できると共に、巻き取り強さも、操作する人が望む強さに正確且つ迅速にコントロールすることができ、取扱性と保護性との両方を向上させることができるようになる。
【００１３】
更には、紐状体の前記保護状態においても、紐状体巻取装置の全体は、筒状を呈しているから、任意の筒径方向に沿って縮径変形させることが可能で、扁平な状態に形状を変形することで、コンパクトな状態にでき、例えば、バックの中に入れても嵩張るのを防止し易くなる。
【００１４】
本発明においては、前記操作補助機構は、前記筒状体の前記一端部側を、前記他端部側より大径に形成して構成してあると好適である。
【００１５】
本構成によれば、筒状体一端部側を他端部側より大径に形成してあるから、前記単筒状態から復筒状態へ状態変更操作する際に、互いの径の差を有効に利用でき、他端部側の外側に一端部側が重なるように無理なく状態変更操作をすることができる。
しかも、このような操作補助機構を設けるにあたって、筒状体の一端部側を他端部側より大径に形成するだけの簡単な構造を採用するだけで構成でき、効率的且つ経済的に紐状体巻取装置を提供できるようになる。
【００１６】
更には、筒状体の一端部側に筒端部開口を設けてあれば、筒内空部に手を挿入する際、大径の一端部側開口から挿入できるから、より挿入し易い。また、挿入先端側の筒状体他端部側は、小径となっているから、挿入した手に筒状体がフィットし易く、紐状体の巻き取り強さをより敏感に感じとることができる。
【００１７】
本発明においては、前記操作補助機構は、前記筒状体における前記中間部と、前記中間部に前記筒軸心方向で隣接する隣接部との折り返し抵抗を異ならせて構成してあると好適である。
【００１８】
本構成によれば、前記単筒状態と復筒状態との状態変更操作をする際に、折返し抵抗の異なる部分を設けてあることで、その部分、又は、その隣接部分において筒状体が曲がり易くなり、前記状態変更操作を、より簡単に且つ自然な操作の中で実現することができる。
【００１９】
本発明においては、前記操作補助機構は、前記単筒状態における前記筒状体の前記中間部に、周方向に沿って形成された突状部を備えてあると好適である。
【００２０】
本構成によれば、突状部においては、その隣接部に比べて筒状体の厚みが大きくなり、筒状体の折り返し操作の際に、突状部の隣接部で曲がり易くなる。従って、操作補助機構としての曲がり易さの向上を図ることができる。
特に、突状部を筒状体の外周部に形成してあれば、隣接する巻取部に紐状体を巻き取る際のガイド、又は、目印となり、より簡単に迅速に紐状体を筒状体に巻き取れるようになる。そして、巻き取った状態の紐状体が、筒長手方向に沿って位置ずれするのを、突状部によって阻止できるから、ズレ防止を図ることができる。
【００２１】
本発明においては、前記筒状体は、布製又はニット製からなる伸縮素材で構成してあり、前記突状部は、前記伸縮素材どうしの縫合部で構成してあると好適である。
【００２２】
本構成によれば、布やニットの素材としての自然な風合いや、弾力性を有効に利用して紐状体の保護を叶えることができる。また、特別な構成を設けなくても、縫合部によって突状部を兼用化でき、違和感の少ない物品意匠を経済的に構成することができる。
【００２３】
本発明においては、前記筒状体は、前記一端部と前記他端部との少なくとも何れか一方は、前記巻取部の厚みより厚肉に形成してあると好適である。
【００２４】
本構成によれば、筒状体の一端部と他端部とを筒内外に当接させた前記復筒状態において、内外に重なる筒状体の各部において、巻取部では、端部に比べて薄肉に形成してあることで、上に重なる筒状体部分との間に隙間を確保し易くなり、その隙間を紐状体の巻き取りスペースとして利用し易くなる。従って、筒内外に重なる筒状体部分間に無理なく紐状体を収容することができる。
【００２５】
また、構造的に、筒状体の一端部と他端部との重ね目が当接し易くなることに加えて、厚肉部分の単位断面積を、巻取部より大きく設定し易くなるから、そう設定することで、厚肉部分の弾性復元力も大きく期待できるようになり、重ね目の目開き防止効果をより高めることができる。その結果、巻き取ってある紐状体の一部が重ね目から突出して外部にはみ出ることを防止できる。
【００２６】
また、巻取部より厚肉に形成するのは、筒状体の一端部と他端部との少なくとも何れか一方であればよいが、目開き防止効果をより向上させるには、何れもが厚肉であることが好ましい。
【図面の簡単な説明】
【００２７】
【図１】イヤホンケースの単筒状態を示す側面図である。
【図２】イヤホンケースの復筒状態を示す斜視図である。
【図３】イヤホンケーブルの巻き取り状況を示す斜視図である。
【図４】イヤホンケーブルの巻き取り状況を示す縦断面図である。
【図５】別実施形態のイヤホンケースを示す模式断面図である。
【図６】別実施形態のイヤホンケースを示す模式断面図である。
【図７】別実施形態のイヤホンケースを示す模式断面図である。
【図８】別実施形態のイヤホンケースを示す模式断面図である。
【図９】別実施形態のイヤホンケースを示す模式断面図である。
【発明を実施するための形態】
【００２８】
図１〜４は、本発明の紐状体巻取装置の一実施形態品であるイヤホンケースＣ１を示している。
イヤホンケースＣ１は、伸縮自在なニット製の筒状体１で構成してある。そして、筒状体１は、弾性変形自在で、更には、筒長手方向での中間部で折り返す等の変形も可能に形成してある。
因みに、ニット素材（伸縮素材に相当）ｎには、例えば、ウール、綿、シルク、麻等の天然糸や、レーヨン、ポリエステル等の合成繊維等を使用することができる。
【００２９】
また、イヤホンケースＣ１は、筒状体１の筒内空部Ｖに手を挿入した状態で、筒状体１の外周部にイヤホンケーブル（紐状体の一例）２を巻き取って、それを覆うように筒状体１の何れかの端部を、逆の端部側に折り返す方法で使用することができる。
【００３０】
筒状体１は、筒軸心Ｘ方向での両端部がそれぞれ開口する筒状に形成してあり、図１、図４（ａ）に示すように、筒径寸法は、一端部１Ａから他端部１Ｂにかけて徐々に小さくなるように設定されている。
尚、筒状体１の筒内空部Ｖには、何れの筒端部開口からでも手を挿入することができるが、一端部１Ａが他端部１Ｂより大径に形成してあるから、図３（ａ）、図４（ａ）に示すように、一端部１Ａの筒端部開口から筒内空部Ｖに手を挿入する方が、筒状体１が手の外形に沿い易く、よりスムーズに挿入できことから好ましい。また、挿入した手に筒状体１が沿っていることで、イヤホンケーブル２を筒状体１の外周部に巻き取る際に、イヤホンケーブル２の締まり具合を手で敏感に感じることができ、その観点からも好ましい。
【００３１】
また、筒状体１は、図４（ａ）に示すように、ニット素材ｎを筒端部で折り返して筒径方向の内外で二重に重なる袋構造として形成してあり、筒状体１の内周部における筒軸心Ｘ方向での中央部又はほぼ中央部（中間部の一例）１ａに、ニット素材ｎの端部同士を縫い合わせて連結した縫合部ｎ１が形成されている。
【００３２】
筒状体１の全長の内、この縫合部ｎ１を形成してある部分は、他の部分より厚肉の突状部１Ｃとなり、筒状体１を内外に折り返す場合に、隣接する部分（隣接部１ｂ）より大きな抵抗が作用するから折れ曲がり難い。従って、この突状部１Ｃ部分は、筒状体１を折り返す際に、隣接部１ｂをより折れ曲がり易くするガイドの役目を果たすこともできる。
また、筒状体１を折り返した状態では、その端縁部に縫合部ｎ１が見えるので、デザイン的なアクセントともなり、意匠性の向上を図ることができる。
【００３３】
筒状体１は、上述のように、長手方向での中間部で折り返すことができ、以下に示す二つの主たる使用状態に変形することができる。
一つの使用形態は、図１、図３（ａ）、図３（ｂ）、図４（ａ）に示すように、筒軸心Ｘ方向での一端部１Ａと他端部１Ｂとが筒軸心Ｘ方向での離間位置にある単筒状態であり、もう一つの使用形態は、図２、図３（ｃ）、図４（ｂ）に示すように、一端部１Ａが他端部１Ｂの外側全周にわたって被さるように筒軸心Ｘ方向での中間部で折り返すことで、筒径方向の内外に一端部１Ａと他端部１Ｂとが重なった復筒状態である。
【００３４】
次に、当該イヤホンケースＣ１にイヤホンケーブル（紐状体の一例）２を巻き取って保護できるように収納する詳しい手順について説明する。
【００３５】
〔１〕図３（ａ）に示すように、前記単筒状態にした筒状体１に、一端部１Ａ側から筒内空部Ｖに一方の手を挿入する。
【００３６】
〔２〕図３（ｂ）、図４（ａ）に示すように、単筒状態の筒状体１の外周部の内、筒軸心Ｘ方向での中央部又はほぼ中央部１ａと他端部１Ｂとの間の領域にイヤホンケーブル２を巻き取るための巻取部１Ｄが設定してあり、その巻取部１Ｄに、イヤホンケーブル２を巻き取る。
【００３７】
巻き取り操作は、一方の手（例えば、親指等）でイヤホンケーブル２の一端部を筒状体１の外周に沿わせて止めながら、他方の手でイヤホンケーブル２の他端部側を摘まんで筒軸心Ｘ周りに回転しながら巻き取ってゆく。
巻き取り操作中は、筒状体１の筒内空部Ｖに挿入した一方の手（例えば、親指以外の各指等）で、イヤホンケーブル２からの締め付け具合を感じながら、他方の手で、巻き取り強さを調整することで、過度の張力がイヤホンケーブル２に作用しない状態に巻き取ることができる。従って、急いで巻き取るような場合でも、同様に、適切な状態に巻き取ることができる。
【００３８】
〔３〕図３（ｃ）、図４に示すように、筒状体１の一端部１Ａを他端部１Ｂがわに折返しながら前記復筒状態にし、イヤホンケーブル２を筒状体１の一端部１Ａと他端部１Ｂとの間に挟み込む状態に収納する。
【００３９】
単筒状態と復筒状態との状態変更操作においては、筒状体１の一端部１Ａを、他端部１Ｂより大径に形成してあることで、折り返す際に抵抗少なくスムーズに実施できると共に、折り返した状態での納まりもよくなる。更には、筒状体１に突状部１Ｃを設けてあることで、その隣接部１ｂで折れ曲がり易くなり、スムーズに且つ正確な位置で折り返すことができる。これらの構造によって、筒状体１の前記状態変更操作をスムーズに且つ迅速に実施できるようになり、これらそれぞれの構造が、操作補助機構Ｓに相当する。
【００４０】
また、上述した収納状態においては、図４（ｂ）に示すように、筒状体１の一端部１Ａと他端部１Ｂとの各端縁部が、ニット素材ｎの折返し部ｎ２となっているから、適度な折返し線形が保たれ、巻取部１Ｄのように表裏のニット素材ｎが沿って重なっている箇所より厚肉になっている。従って、端縁部の厚肉構造によって、筒状体１の一端部１Ａと他端部１Ｂとの目開きが生じ難くなっている。
【００４１】
ここに説明したイヤホンケースＣ１によれば、簡単且つ正確に巻き取り強さのコントロールが可能になり、より迅速に且つ適切な状態にイヤホンケーブル２を巻取収納できる。また、イヤホンケーブル２を巻取収納している状態で、扁平な形状に外形を変形することも可能で、嵩張らず収納性が向上する。また、筒状体１の端縁部が目開きし難いから、不用意にイヤホンケーブル２がはみ出すことが防止でき、より確実に収納状態を維持できる。
更には、ニット素材ｎによる素材が備えた弾性変形性能や、衝撃防止性能をフルに発揮して、イヤホンケーブル２の保護にあたることができる。
【００４２】
〔別実施形態〕
以下に他の実施の形態を説明する。
【００４３】
〈１〉  筒状体１は、先の実施形態で説明した形状や構造や素材に限るものではなく、適宜、変更することが可能である。
筒状体１の形状について、筒径寸法が、一端部１Ａから他端部１Ｂにかけて徐々に小さくなるように設定されていることに限らず、例えば、図５（ａ）に示すように、中間部１ａから一端部１Ａにかけて同径又はほぼ同径の大径部とし、中間部１ａから他端部１Ｂにかけて同径又はほぼ同径の小径部とするものであってもよい。
また、図６（ａ）に示すように、一端部１Ａのみを大径部とし、他の部分を小径部とするものであってもよい。これらは、何れも、前記復筒状態にした時に、筒状体１の両端部１Ａ，１Ｂ同士が筒内外に無理なく沿って重なる（図５（ｂ）、図６（ｂ）参照）。
更には、大径部と小径部とを備えずに、例えば、図７〜９に示すように、同径又はほぼ同径に形成した筒状体１であってもよい。この場合、形状が単純であるから、形成そのものを簡単に行うことができる。
筒端部開口は、筒状体１の両端部に形成してあることに限らず、何れか一方の端部にのみ形成してあるものでもよい。即ち、筒状体１は、有底筒状であってもよい。
【００４４】
筒状体１の構造について、先の実施形態で説明したニット素材が内外で二重に重なった袋構造であることに限らず、例えば、図５〜９に示すように、一重の構造であってもよい。
【００４５】
筒状体１の素材は、先の実施形態で説明したニット素材に限るものではなく、布で構成してあったり、合成樹脂で構成してあってもよい。
【００４６】
〈２〉  操作補助機構Ｓは、先の実施形態で説明した筒状体１の一端部１Ａと他端部１Ｂとの筒径を異ならせる構造と、筒状体１における中間部１ａと隣接部１ｂとの折返し抵抗を異ならせる構造との両方を備えたものに限るものではなく、何れか一方の構造によって構成してあってもよい。
【００４７】
また、中間部１ａと隣接部１ｂとの折返し抵抗を異ならせる構造とは、先の実施形態で説明したように筒状体１の中間部１ａに縫合部ｎ１を形成したものに限らず、例えば、図８（ａ）に示すように、中間部１ａを境にして、折返し抵抗の異なる素材を使用したり、一方の端部側を補強して折返し抵抗が大きくなるようにする等して、中間部１ａと隣接部１ｂとが折返し抵抗が異なるように構成するものであってもよい。
【００４８】
また、図８（ｂ）に示すように、筒状体１の中間部１ａと、その他の部分とを、素材を変更したり、何れかの部分を補強する等して、中間部１ａと隣接部１ｂとが折返し抵抗が異なるように構成するものであってもよい。
【００４９】
また、図９（ａ）に示すように、筒状体１の中間部１ａの外周部に、周方向に沿って突状部１Ｃを設けたり、図９（ｂ）に示すように、筒状体１の中間部１ａに薄肉部１Ｅを設けたり、図９（ｃ）に示すように、筒状体１の中間部１ａを境にして筒状体１の肉厚を異ならせることで、中間部１ａと隣接部１ｂとが折返し抵抗が異なるように構成するものであってもよい。
【００５０】
〈３〉  筒状体１の一端部１Ａと他端部１Ｂとの少なくとも何れか一方を、巻取部１Ｄの厚みより厚肉に形成する場合、先の実施形態で説明したニット素材ｎの折返し部ｎ２によって構成することに限るものではなく、例えば、図７に示すように、素材そのものの厚み寸法を厚肉にするものであってもよい。
また、その場合、一端部１Ａと他端部１Ｂとの両方を、巻取部１Ｄより厚肉に形成するものであってもよい。
【００５１】
〈４〉  巻取対象の紐状体２は、イヤホンケーブルに限るものではなく、例えば、他のケーブルや、ネックレスや、ブレスレット等、大きな張力に弱い紐状体を対象とすることができる。
【００５２】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００５３】
当該紐状体巻取装置は、イヤホンケーブルの巻取装置に替えて紐状貴金属等の巻取装置にも利用することができる。
【符号の説明】
【００５４】
１      筒状体
１ａ    中央部又はほぼ中央部（中間部の一例）
１ｂ    隣接部
１Ａ    一端部
１Ｂ    他端部
１Ｃ    突状部
１Ｄ    巻取部
２      イヤホンケーブル（紐状体の一例）
ｎ      ニット素材（伸縮素材に相当）
ｎ１    縫合部
Ｓ      操作補助機構
Ｖ      筒内空部
Ｘ      筒軸心
【図１】
2015228610.tif 000003
【図２】
2015228610.tif 000004
【図３】
2015228610.tif 000005
【図４】
2015228610.tif 000006
【図５】
2015228610.tif 000007
【図６】
2015228610.tif 000008
【図７】
2015228610.tif 000009
【図８】
2015228610.tif 000010
【図９】
2015228610.tif 000011